【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
記録媒体を搬送路に沿って搬送する搬送部と、
前記記録媒体に記録する記録部と、
前記記録媒体を切断する切断部と、
前記記録媒体を検出するセンサーと、
前記搬送部、前記記録部、及び、前記切断部を制御する制御部と、を備え、
前記記録媒体は複数の紙片ブロックから構成され、隣り合う前記紙片ブロックの角には搬送方向に交わる方向に延びる対称軸に対して線対称な形状の切り欠きが形成されており、
前記制御部は、
前記搬送部による前記記録媒体の搬送中、前記センサーの出力値を取得し、
前記センサーの出力値が所定の閾値を上回ったとき又は下回ったときを、隣り合う前記紙片ブロックのうち搬送方向の下流側の前記紙片ブロックの角に対応する前記切り欠きの前段位置とし、前記センサーの出力値が前記所定の閾値を下回ったとき又は上回ったときを、隣り合う前記紙片ブロックのうち搬送方向の上流側の前記紙片ブロックの角に対応する前記切り欠きの後段位置とし、
前記前段位置と前記後段位置とに基づいて、前記切り欠きの前記対称軸に対応する位置を切断位置として決定し、前記切断部により切断することを特徴とする記録装置。
【請求項２】
前記制御部は、
前記前段位置と、前記後段位置との間で前記搬送部により搬送した距離の２分の１に対応する距離である軸離間距離の分、前記前段位置から離間した位置を、前記切り欠きの前記対称軸に対応する前記切断位置として決定することを特徴とする請求項１に記載の記録装置。
【請求項３】
前記制御部は、
１の切り欠きに係る前記前段位置及び前記後段位置に基づいて前記軸離間距離を算出し、前記１の切り欠きの次の切り欠きについて、前記次の切り欠きに係る前記前段位置から、前記１の切り欠きに基づいて算出された前記軸離間距離の分離間した位置を、前記次の切り欠きの前記対称軸に対応する前記切断位置として決定することを特徴とする請求項２に記載の記録装置。
【請求項４】
前記制御部は、
前記１の切り欠きが前記センサーの位置を通過した後、前記次の切り欠きが前記センサーを通過する前であって、少なくとも前記記録部による前記記録媒体への記録を行っていないときに、前記１の切り欠きに係る前記前段位置及び前記後段位置に基づいて前記切断位置を決定することを特徴とする請求項３に記載の記録装置。
【請求項５】
前記記録媒体が前記センサーの位置にないときの前記センサーの出力値に基づいて、前記所定の閾値を設定する閾値設定部をさらに備えることを特徴とする請求項１ないし４のいずれかに記載の記録装置。
【請求項６】
記録媒体を搬送路に沿って搬送する搬送部と、
前記記録媒体に記録する記録部と、
前記記録媒体を切断する切断部と、
前記記録媒体を検出するセンサーと、
を備える記録装置の制御方法であって、
前記記録媒体は複数の紙片ブロックから構成され、隣り合う前記紙片ブロックの角には搬送方向に交わる方向に延びる対称軸に対して線対称な形状の切り欠きが形成されており、
前記搬送部による前記記録媒体の搬送中、前記センサーの出力値を取得し、
前記センサーの出力値が所定の閾値を上回ったとき又は下回ったときを、隣り合う前記紙片ブロックのうち搬送方向の下流側の前記紙片ブロックの角に対応する前記切り欠きの前段位置とし、前記センサーの出力値が前記所定の閾値を下回ったとき又は上回ったときを、隣り合う前記紙片ブロックのうち搬送方向の上流側の前記紙片ブロックの角に対応する前記切り欠きの後段位置とし、前記前段位置と前記後段位置とに基づいて、前記切り欠きの前記対称軸に対応する位置を切断位置として決定し、前記切断部により切断することを特徴とする記録装置の制御方法。
【請求項７】
記録媒体を搬送路に沿って搬送する搬送部と、
前記記録媒体に記録する記録部と、
前記記録媒体を切断する切断部と、
前記記録媒体を検出するセンサーと、
を備える記録装置の各部を制御する制御部により実行されるプログラムであって、
前記記録媒体は複数の紙片ブロックから構成され、隣り合う前記紙片ブロックの角には搬送方向に交わる方向に延びる対称軸に対して線対称な形状の切り欠きが形成されており、
前記制御部に、
前記搬送部による前記記録媒体の搬送中、前記センサーの出力値を取得させ、
前記センサーの出力値が所定の閾値を上回ったとき又は下回ったときを、隣り合う前記紙片ブロックのうち搬送方向の下流側の前記紙片ブロックの角に対応する前記切り欠きの前段位置とし、前記センサーの出力値が前記所定の閾値を下回ったとき又は上回ったときを、隣り合う前記紙片ブロックのうち搬送方向の上流側の前記紙片ブロックの角に対応する前記切り欠きの後段位置とし、
前記前段位置と前記後段位置とに基づいて、前記切り欠きの前記対称軸に対応する位置を切断位置として決定させ、前記切断部により切断させることを特徴とするプログラム。
【手続補正２】
【補正対象書類名】明細書
【補正対象項目名】０００５
【補正方法】変更
【補正の内容】
【０００５】
上記目的を達成するために、本発明は、記録装置であって、記録媒体を搬送路に沿って搬送する搬送部と、前記記録媒体に記録する記録部と、前記記録媒体を切断する切断部と、前記記録媒体を検出するセンサーと、前記搬送部、前記記録部、及び、前記切断部を制御する制御部と、を備え、前記記録媒体は複数の紙片ブロックから構成され、隣り合う前記紙片ブロックの角には搬送方向に交わる方向に延びる対称軸に対して線対称な形状の切り欠きが形成されており、前記制御部は、前記搬送部による前記記録媒体の搬送中、前記センサーの出力値を取得し、前記センサーの出力値が所定の閾値を上回ったとき又は下回ったときを、隣り合う前記紙片ブロックのうち搬送方向の下流側の前記紙片ブロックの角に対応する前記切り欠きの前段位置とし、前記センサーの出力値が前記所定の閾値を下回ったとき又は上回ったときを、隣り合う前記紙片ブロックのうち搬送方向の上流側の前記紙片ブロックの角に対応する前記切り欠きの後段位置とし、前記前段位置と前記後段位置とに基づいて、前記切り欠きの前記対称軸に対応する位置を切断位置として決定し、前記切断部により切断することを特徴とする。
ここで、紙片を発行するための記録媒体には、紙片が搬送方向に連続して接続された構成を有し、１の紙片と他の紙片との接続部に、搬送方向に交わる方向に延びる対称軸に対して線対称な形状の切り欠きが形成されたものがある。このような記録媒体を使用して、紙片を発行する場合は、連続する紙片の接合部に対応する位置、換言すれば、当該接合部に形成された切り欠きの対称軸に対応する位置で、記録媒体を切断する必要がある。
また、記録媒体の搬送中において、センサーが設けられた検出位置を切り欠きが通過するときの、センサーの出力値は、一旦、所定の閾値を超えて上回った（下回った）後、ピークに至り、当該所定の閾値を下回る（上回る）、という一定の変化をする。このため、センサーの出力値がピークに至ったときに検出位置に位置する記録媒体の位置、換言すれば、切り欠きの対称軸に対応する位置は、センサーの出力値が閾値を上回った（下回った）ときに検出位置に位置する記録媒体の位置（前段位置）と、センサーの出力値が閾値を下回った（上回った）ときに検出位置に位置する記録媒体の位置（後段位置）とに基づいて、算出することが可能である。
以上を踏まえ、上記構成によれば、記録装置は、記録媒体の搬送中、センサーの出力値を取得して切り欠きに係る前段位置と、後段位置とを検出し、これら前段位置と後段位置とに基づいて、当該切り欠きの対称軸に対応する位置を切断位置として決定するため、位置検出用のマーク等の光学的な読み取り等を行うことなく、切り欠きの形状の特性を利用して、記録媒体を切断すべき位置を適切に決定可能である。
【手続補正３】
【補正対象書類名】明細書
【補正対象項目名】００１０
【補正方法】変更
【補正の内容】
【００１０】
また、上記目的を達成するために、本発明は、記録媒体を搬送路に沿って搬送する搬送部と、前記記録媒体に記録する記録部と、前記記録媒体を切断する切断部と、前記記録媒体を検出するセンサーと、を備える記録装置の制御方法であって、前記記録媒体は複数の紙片ブロックから構成され、隣り合う前記紙片ブロックの角には搬送方向に交わる方向に延びる対称軸に対して線対称な形状の切り欠きが形成されており、前記搬送部による前記記録媒体の搬送中、前記センサーの出力値を取得し、前記センサーの出力値が所定の閾値を上回ったとき又は下回ったときを、隣り合う前記紙片ブロックのうち搬送方向の下流側の前記紙片ブロックの角に対応する前記切り欠きの前段位置とし、前記センサーの出力値が前記所定の閾値を下回ったとき又は上回ったときを、隣り合う前記紙片ブロックのうち搬送方向の上流側の前記紙片ブロックの角に対応する前記切り欠きの後段位置とし、前記前段位置と前記後段位置とに基づいて、前記切り欠きの前記対称軸に対応する位置を切断位置として決定し、前記切断部により切断することを特徴とする。
この制御方法によれば、記録装置は、記録媒体の搬送中、センサーの出力値を監視して切り欠きに係る前段位置と、後段位置とを検出し、これら前段位置と後段位置とに基づいて、当該切り欠きの対称軸に対応する位置を算出するため、位置検出用のマーク等の光学的な読み取り等を行うことなく、切り欠きの形状の特性を利用して、記録媒体を切断すべき位置を適切に決定可能である。
【手続補正４】
【補正対象書類名】明細書
【補正対象項目名】００１１
【補正方法】変更
【補正の内容】
【００１１】
また、上記目的を達成するために、本発明は、記録媒体を搬送路に沿って搬送する搬送部と、前記記録媒体に記録する記録部と、前記記録媒体を切断する切断部と、前記記録媒体を検出するセンサーと、を備える記録装置の各部を制御する制御部により実行されるプログラムであって、前記記録媒体は複数の紙片ブロックから構成され、隣り合う前記紙片ブロックの角には搬送方向に交わる方向に延びる対称軸に対して線対称な形状の切り欠きが形成されており、前記制御部に、前記搬送部による前記記録媒体の搬送中、前記センサーの出力値を取得させ、前記センサーの出力値が所定の閾値を上回ったとき又は下回ったときを、隣り合う前記紙片ブロックのうち搬送方向の下流側の前記紙片ブロックの角に対応する前記切り欠きの前段位置とし、前記センサーの出力値が前記所定の閾値を下回ったとき又は上回ったときを、隣り合う前記紙片ブロックのうち搬送方向の上流側の前記紙片ブロックの角に対応する前記切り欠きの後段位置とし、前記前段位置と前記後段位置とに基づいて、前記切り欠きの前記対称軸に対応する位置を切断位置として決定させ、前記切断部により切断させることを特徴とする。
このプログラムによれば、記録装置は、記録媒体の搬送中、センサーの出力値を監視して切り欠きに係る前段位置と、後段位置とを検出し、これら前段位置と後段位置とに基づいて、当該切り欠きの対称軸に対応する位置を算出するため、位置検出用のマーク等の光学的な読み取り等を行うことなく、切り欠きの形状の特性を利用して、記録媒体を切断すべき位置を適切に決定可能である。